(57)【要約】  【課題】  トナーの帯電量低下を抑制して、現像剤の長寿命化をはかることのできる現像装置及び画像形成装置を提供する。  【解決手段】  トナーとキャリアとを含む現像剤３を用いて感光体ドラム２１上に形成された潜像を現像して画像を形成する画像形成装置であって、現像剤３を担持して搬送する現像ローラ２４１と、現像ローラ２４１と対向配置されるバッファローラ２４２と、現像ローラ２４１とバッファローラ２４２とが対向配置される位置よりも現像剤搬送方向下流側において現像ローラ２４１と対向配置される感光体ドラム２１とを備え、現像ローラ２４１とバッファローラ２４２に、トナーを現像ローラ２４１からバッファローラ２４２へ移動させるための第１の電界と、現像ローラ２４１と感光体ドラム２１に、トナーを現像ローラ２４１から感光体ドラム２１へ移動させるための第２の電界とを発生させる。  【選択図】  図２
2006201753.tif 000002
【特許請求の範囲】
【請求項１】
帯電したトナーとキャリアとを含む現像剤を用いて像担持体上に形成された潜像を現像して画像を形成する画像形成装置であって、
前記現像剤を搬送する現像剤搬送体と、
搬送途中の第１の位置において、第１の電界を発生させて、前記現像剤搬送体により搬送されている現像剤からトナーを回収する第１の回収手段と、
前記第１の位置よりも現像剤搬送方向下流側の第２の位置において、第２の電界を発生させて、トナーが回収された後の現像剤から廃棄すべき残存するトナーを回収する第２の回収手段と
を備えることを特徴とする画像形成装置。
【請求項２】
前記現像剤には、前記トナーとは逆極性の外添剤が含まれていること
を特徴とする請求項１記載の画像形成装置。
【請求項３】
現像剤に新たなトナーを補給する補給手段を備え、
前記補給手段による補給位置は、前記第１の位置よりも現像剤搬送方向上流側にあることを特徴とする請求項１又は請求項２記載の画像形成装置。
【請求項４】
前記第１の回収手段によって回収されたトナーを、搬送中の現像剤の中へ戻す返還手段を備え、
前記返還手段により現像剤の中へ戻されたトナーが、前記第２の位置に搬送されるまでには、遅くとも前記第２の回収手段によるトナーの回収が停止されること
を特徴とする請求項１から請求項３のいずれか一項に記載の画像形成装置。
【請求項５】
前記第２の回収手段によって回収されたトナーを廃棄する廃棄手段を備えること
を特徴とする請求項１から請求項４のいずれか一項に記載の画像形成装置。
【請求項６】
前記第１の回収手段及び第２の回収手段によるトナーの回収は、通常の画像形成処理が行われていないときに実行されること
を特徴とする請求項１から５のいずれか一項に記載の画像形成装置。
【請求項７】
前記第１の回収手段は、
前記現像剤搬送体と前記第１の位置において対向配置される第１の回動体と、
前記現像剤搬送体と前記第１の回動体との間に前記第１の電界を発生させる電界発生手段とを備え、
前記第２の回収手段は、
前記現像剤搬送体と前記第２の位置において対向配置される第２の回動体と、
前記現像剤搬送体と前記第２の回動体との間に前記第２の電界を発生させる電界発生手段とを備えること
を特徴とする請求項１から請求項６のいずれか一項に記載の画像形成装置。
【請求項８】
前記第２の回動体として、前記像担持体が利用されること
を特徴とする請求項７記載の画像形成装置。
【請求項９】
前記第１の電界の大きさと前記第２の電界の大きさがほぼ等しいこと
を特徴とする請求項１から請求項８のいずれか一項に記載の画像形成装置。
【請求項１０】
帯電したトナーとキャリアとを含む現像剤を用いて像担持体上に形成された潜像を現像する現像装置であって、
前記現像剤を搬送する現像剤搬送体と、
搬送途中の第１の位置において、第１の電界を発生させて、前記現像剤搬送体により搬送されている現像剤からトナーを回収する第１の回収手段と、
前記第１の位置よりも現像剤搬送方向下流側の第２の位置において、第２の電界を発生させて、トナーが回収された後の現像剤から廃棄すべき残存するトナーを回収する第２の回収手段と
を備えることを特徴とする現像装置。
【請求項１１】
帯電したトナーとキャリアとを含む現像剤を用いて像担持体上に形成された潜像を現像する現像装置であって、
前記現像剤を搬送する現像剤搬送体と、
搬送途中の第１の位置において、第１の電界を発生させて、前記現像剤搬送体により搬送されている現像剤からトナーを回収する第１の回収手段と、
を備え、
前記像担持体は、前記第１の位置よりも現像剤搬送方向下流側の第２の位置において前記現像剤搬送体と対向配置され、
前記第２の位置において、トナーが回収された後の現像剤から廃棄すべき残存するトナーを前記像担持体へ移動させる第２の電界が発生されること
を特徴とする現像装置。
【請求項１２】
前記現像剤には、前記トナーとは逆極性の外添剤が含まれていること
を特徴とする請求項１０又は請求項１１記載の現像装置。
【請求項１３】
前記第１の回収手段によって回収されたトナーを、前記現像剤の中へ戻す返還手段を備え、
前記返還手段により現像剤の中へ戻されたトナーが、前記第２の位置に搬送されるまでに、遅くとも前記第２の回収手段によるトナーの回収が停止されること
を特徴とする請求項１０又は請求項１２のいずれか一項に記載の現像装置。
【請求項１４】
前記回収手段によって回収されたトナーを、前記現像剤の中へ戻す返還手段を備え、
前記返還手段により現像剤の中へ戻されたトナーが、前記第２の位置に搬送されるまでには、遅くとも前記第２の電界が停止されること
を特徴とする請求項１１又は請求項１２のいずれか一項に記載の現像装置。
【請求項１５】
現像剤に新たなトナーを補給する補給手段を備え、
前記補給手段による補給位置は、前記第１の位置よりも現像剤搬送方向上流側にあることを特徴とする請求項１０から請求項１４のいずれか一項に記載の現像装置。
【請求項１６】
前記第１の電界の大きさと前記第２の電界の大きさがほぼ等しいこと
を特徴とする請求項１０から請求項１５のいずれか一項に記載の現像装置。
【請求項１７】
帯電したトナーとキャリアとを含む現像剤を用いて像担持体上に形成された潜像を現像して画像を形成する画像形成装置において、前記トナーの削れ、割れ等により発生するトナー微粉を回収する微粉回収方法であって、
第１の電界によって、前記現像剤から前記トナーを回収する第１の回収ステップと、
第２の電界によって、前記トナーが回収された後の現像剤から、前記トナー微粉を回収する第２の回収ステップと
を含むことを特徴とする微粉回収方法。
【請求項１８】
前記第１の回収ステップにより、第１の回収部材へトナーを回収するともに、
前記第２の回収ステップにより、前記第１の回収部材とは異なる第２の回収部材へ前記トナー微粉を回収すること
を特徴とする請求項１７記載の微粉回収方法。
【請求項１９】
前記現像剤には、前記トナーとは逆極性の外添剤が含まれていること
を特徴とする請求項１７又は請求項１８記載の微粉回収方法。
【請求項２０】
前記第１の電界の大きさと前記第２の電界の大きさがほぼ等しいこと
を特徴とする請求項１７から請求項１９のいずれか一項に記載の微粉回収方法。
【請求項２１】
前記第１の回収ステップ及び第２の回収ステップは、通常の画像形成処理が行われていないときに実行されること
を特徴とする請求項１７から請求項２０のいずれか一項に記載の微粉回収方法。
【発明の詳細な説明】
【技術分野】
【０００１】
本発明は、トナーとキャリアとを含む現像剤で感光体ドラム上に形成された潜像を現像する現像装置及び画像形成装置に関し、トナーの帯電特性を改善する技術に関する。
【背景技術】
【０００２】
画像形成装置の現像装置として、いわゆる２成分現像方式のものがある。この現像方式では、トナー粒子とキャリア粒子とを混合攪拌して摩擦帯電させて、キャリアにトナーを付着させた状態で現像スリーブ表面に担持して、キャリアを介してトナーを感光体ドラム上の潜像に搬送することによって現像を行う。２成分現像方式では、トナー及びキャリアの帯電特性が現像性能に大きく影響するため、現像剤の初期から寿命に達するまでにおいて、帯電特性を良好な状態で維持することが求められる。
【０００３】
例えば、特許文献１には、画像比率の低い画像の現像が続いたときに、現像剤担持体上の２成分現像剤をトナーとキャリアに分離して、トナーのチャージアップ（過剰帯電）やキャリア劣化を防止するようにした画像形成装置が開示されている。
【特許文献１】特開平１０−２６８８５号公報
【発明の開示】
【発明が解決しようとする課題】
【０００４】
ところで、２成分現像剤においては、その寿命に至るまでの間にキャリアとトナーとの摩擦により、トナー粒子の削れ、割れ等によりトナーの微粉（以下、「トナー微粉」という。）が生じる。
このトナー微粉は、キャリア粒子表面に付着しやすく、キャリア表面に徐々に蓄積される。トナー微粉のキャリアへの蓄積が多くなるほど、本来のキャリア粒子とトナー粒子との間の摩擦帯電が行われ難くなるため、トナーの帯電量が低下していく。
【０００５】
上述の特許文献１では、トナーとキャリアを分離する技術は記載されているが、トナー微粉については考慮されていないため、上記公報に係る画像形成装置においてもトナーの帯電量の低下が見受けられる。
トナーの帯電量が低下すると画質が劣化するので、トナー微粉が表面に蓄積していないキャリアを得るためには、トナー微粉が表面に蓄積して寿命末期をむかえた現像剤を新たな現像剤に交換する必要がある。しかしながら、頻繁に現像剤の交換を迫れられると、メンテナンスに手間がかかるとともにコストもかかることになるので、現像剤の長寿命化が望まれている。
【０００６】
本発明は、上述した点に鑑みてなされたものであって、キャリアへのトナー微粉の蓄積を抑制して、現像剤の長寿命化をはかることのできる画像形成装置、現像装置及び微粉回収方法を提供することを目的としている。
【課題を解決するための手段】
【０００７】
上記目的を達成するために、本発明に係る画像形成装置は、帯電したトナーとキャリアとを含む現像剤を用いて像担持体上に形成された潜像を現像して画像を形成する画像形成装置であって、前記現像剤を搬送する現像剤搬送体と、搬送途中の第１の位置において、第１の電界を発生させて、前記現像剤搬送体により搬送されている現像剤からトナーを回収する第１の回収手段と、前記第１の位置よりも現像剤搬送方向下流側の第２の位置において、第２の電界を発生させて、トナーが回収された後の現像剤から廃棄すべき残存するトナーを回収する第２の回収手段とを備えることを特徴としている。
【発明の効果】
【０００８】
上記構成とすることにより、第１の回収手段により現像剤から正規の粒径をしたトナーが回収され、第２の回収手段によって、トナーの削れや割れ等により発生する廃棄すべきトナー微粉がキャリア表面から回収される。これにより、キャリアにトナー微粉がほとんど付着していない良好な状態でキャリアとトナーとの摩擦帯電が行われるので、印刷枚数の増加に伴うトナーの帯電量低下を抑制することができ、もって、現像剤の長寿命化をはかることができる。
【０００９】
また、前記現像剤には、前記トナーとは逆極性の外添剤が含まれていることが望ましい。
本発明者らの鋭意研究により、現像剤にトナーとは逆極性の外添剤を含ませることにより、電界によってトナー微粉が回収されることが見出された。
すなわち、第１の回収手段により正規粒径のトナーが回収された現像剤が、現像剤搬送体によって搬送される間に、トナー微粉とは逆極性の外添剤が、トナー微粉に対して電気的及び機械的に作用することにより、トナー微粉がキャリア表面から剥離しやすい状態となると考えられ、これにより、第２の回収手段が発生させる第２の電界によってトナー微粉が回収されるのである。
【００１０】
ここで、現像剤に新たなトナーを補給する補給手段を備え、前記補給手段による補給位置は、前記第１の位置よりも現像剤搬送方向上流側にあることが望ましい。
補給位置が第１の位置と第２の位置との間にあると、補給手段により供給されたトナーが第２の回収手段に回収されて正規粒径のトナーが無駄に消費されるとともに、供給されたトナーの影響を受けて第２の回収手段によってトナー微粉が回収されにくくなるからである。
【００１１】
また、前記第１の回収手段によって回収されたトナーを、搬送中の現像剤の中へ戻す返還手段を備え、前記返還手段により現像剤の中へ戻されたトナーが、前記第２の位置に搬送されるまでには、遅くとも前記第２の回収手段によるトナーの回収が停止されることが望ましい。
第１の回収手段によって回収されたトナーにはトナー微粉が含まれていないので、このトナーを現像剤に戻すことにより、トナー消費を抑制することができ、現像剤の長寿命化をはかることができる。また、返還手段により現像剤の中へ戻されたトナーが、第２の位置に搬送されるまでに、第２の回収手段によるトナーの回収が停止されないと、トナーが第２の回収手段によって回収されて、トナーが無駄に消費されてしまうので、上記の構成とすることが好適である。
【００１２】
ここで、前記第２の回収手段によって回収されたトナーを廃棄する廃棄手段を備えるが望ましい。
第２の回収手段によって回収されるトナー微粉が現像剤中に存在すると、キャリアに付着して、正規粒径のトナーとキャリアとの帯電摩擦がなされ難くなり、トナーの帯電量が低下する。したがって、第２の回収手段によって回収された不要なトナー微粉は廃棄することが好ましい。
【００１３】
また、前記第１の回収手段及び第２の回収手段によるトナーの回収は、通常の画像形成処理が行われていないときに実行されることが望ましい。
画像形成処理が行われているときには、現像にトナーが使用されるので、このトナーを回収すると、正常な現像が行われず画像が形成されないからである。
ここで、前記第１の回収手段は、前記現像剤搬送体と前記第１の位置において対向配置される第１の回動体と、前記現像剤搬送体と前記第１の回動体との間に前記第１の電界を発生させる電界発生手段とを備え、前記第２の回収手段は、前記現像剤搬送体と前記第２の位置において対向配置される第２の回動体と、前記現像剤搬送体と前記第２の回動体との間に前記第２の電界を発生させる電界発生手段とを備えることが望ましい。
【００１４】
これにより、簡易な構成によって第１の回収手段と第２の回収手段とを製造することができるので、装置のコストを低減することができる。
また、前記第２の回動体として、前記像担持体が利用されることが望ましい。
画像形成装置において通常利用される像担持体を第２の回動体として併用することによって、装置の部品点数を削減することができるので、装置の省スペース化、及びコストの低減をはかることができる。
【００１５】
また、前記第１の電界の大きさと前記第２の電界の大きさがほぼ等しいことが望ましい。
このような構成とすることにより、第１の電界によって現像剤から回収されなかった正規の粒径をしたトナーが、第２の電界によっても回収されないので、正規粒径トナーとトナー微粉とが第２の回収手段によって混合して回収されない。これにより、正規粒径トナーの消費が抑制される。
【００１６】
上記目的を達成するために、本発明に係る現像装置は、帯電したトナーとキャリアとを含む現像剤を用いて像担持体上に形成された潜像を現像する現像装置であって、前記現像剤を搬送する現像剤搬送体と、搬送途中の第１の位置において、第１の電界を発生させて、前記現像剤搬送体により搬送されている現像剤からトナーを回収する第１の回収手段と、前記第１の位置よりも現像剤搬送方向下流側の第２の位置において、第２の電界を発生させて、トナーが回収された後の現像剤から廃棄すべき残存するトナーを回収する第２の回収手段とを備えることを特徴としている。
【００１７】
このような構成とすることにより、第１の回収手段により現像剤からトナーが回収され、第２の回収手段によって廃棄すべきトナー微粉が回収される。これにより、キャリアにトナー微粉がほとんど付着していない良好な状態でキャリアとトナーとの摩擦帯電が行われるので、印刷枚数の増加に伴うトナーの帯電量低下を抑制することができ、もって、現像剤の長寿命化をはかることができる。
【００１８】
また、本発明に係る他の現像装置は、帯電したトナーとキャリアとを含む現像剤を用いて像担持体上に形成された潜像を現像する現像装置であって、前記現像剤を搬送する現像剤搬送体と、搬送途中の第１の位置において、第１の電界を発生させて、前記現像剤搬送体により搬送されている現像剤からトナーを回収する第１の回収手段と、を備え、前記像担持体は、前記第１の位置よりも現像剤搬送方向下流側の第２の位置において前記現像剤搬送体と対向配置され、前記第２の位置において、トナーが回収された後の現像剤から廃棄すべき残存するトナーを前記像担持体へ移動させる第２の電界が発生されることを特徴としている。
【００１９】
このような構成とすることにより、回収手段により現像剤からトナーが回収され、廃棄すべきトナー微粉が像担持体へ回収される。これにより、キャリアにトナー微粉がほとんど付着していない良好な状態でキャリアとトナーとの摩擦帯電が行われるので、印刷枚数の増加に伴うトナーの帯電量低下を抑制することができ、もって、現像剤の長寿命化をはかることができる。
【００２０】
上記各現像装置において、前記現像剤には、前記トナーとは逆極性の外添剤が含まれていることが望ましい。
これは、第１の電界によりトナーが回収された現像剤が、現像剤搬送体によって搬送される間に、トナー微粉とは逆極性の外添剤が、トナー微粉に対して電気的及び機械的に作用することにより、トナー微粉がキャリア表面から剥離しやすい状態となり、第２の電界によりトナー微粉が回収されやすくなると考えられるからである。
【００２１】
また、前記第１の回収手段によって回収されたトナーを、前記現像剤の中へ戻す返還手段を備え、前記返還手段により現像剤の中へ戻されたトナーが、前記第２の位置に搬送されるまでに、遅くとも前記第２の回収手段によるトナーの回収が停止されることが望ましい。
第１の回収手段によって回収されたトナーにはトナー微粉が含まれていないので、このトナーを現像剤に戻すことにより、トナー消費を抑制することができ、現像剤の長寿命化をはかることができる。また、返還手段により現像剤の中へ戻されたトナーが、第２の位置に搬送されるまでに、第２の回収手段によるトナーの回収が停止されないと、トナーが第２の回収手段によって回収されて、トナーが無駄に消費されてしまうので、上記の構成とすることが好適である。
【００２２】
また、前記回収手段によって回収されたトナーを、前記現像剤の中へ戻す返還手段を備え、前記返還手段により現像剤の中へ戻されたトナーが、前記第２の位置に搬送されるまでには、遅くとも前記第２の電界が停止されることが望ましい。
回収手段によって回収されたトナーにはトナー微粉が含まれていないので、このトナーを現像剤に戻すことにより、トナー消費を抑制することができ、現像剤の長寿命化をはかることができる。また、返還手段により現像剤の中へ戻されたトナーが、第２の位置に搬送されるまでに、第２の電界が停止されないと、トナーが像担持体によって回収されて、トナーが無駄に消費されてしまうので、上記の構成とすることが好適である。
【００２３】
ここで、現像剤に新たなトナーを補給する補給手段を備え、前記補給手段による補給位置は、前記第１の位置よりも現像剤搬送方向上流側にあることが望ましい。
補給位置が第１の位置と第２の位置との間にあると、補給手段により供給された正規粒径のトナーが第２の電界によって回収されてトナーが無駄に消費されるとともに、供給されたトナーの影響を受けて第２の電界によってトナー微粉が回収されにくくなるからである。
【００２４】
また、前記第１の電界の大きさと前記第２の電界の大きさがほぼ等しいことが望ましい。
これにより、第１の電界によって現像剤から回収されなかった正規の粒径をしたトナーが、第２の電界によっても回収されないので、正規粒径トナーと廃棄すべきトナー微粉とが混合して回収されず、正規粒径トナーの消費が抑制される。
【００２５】
上記目的を達成するために、本発明に係る微粉回収方法は、帯電したトナーとキャリアとを含む現像剤を用いて像担持体上に形成された潜像を現像して画像を形成する画像形成装置において、前記トナーの削れ、割れ等により発生するトナー微粉を回収する微粉回収方法であって、第１の電界によって、前記現像剤から前記トナーを回収する第１の回収ステップと、第２の電界によって、前記トナーが回収された後の現像剤から、前記トナー微粉を回収する第２の回収ステップとを含むことを特徴としている。
【００２６】
このような構成にすることによって、第１の回収ステップにより現像剤から正規粒径のトナーが回収され、第２の回収ステップによって、現像剤から廃棄すべきトナー微粉が回収される。これにより、キャリアにトナー微粉がほとんど付着していない良好な状態でキャリアとトナーとの摩擦帯電が行われるので、印刷枚数の増加に伴うトナーの帯電量低下を抑制することができ、もって、現像剤の長寿命化をはかることができる。
【００２７】
上記微粉回収方法において、前記第１の回収ステップにより、第１の回収部材へトナーを回収するともに、前記第２の回収ステップにより、前記第１の回収部材とは異なる第２の回収部材へ前記トナー微粉を回収することが望ましい。
これにより、第１の回収部材には正規の粒径をしたトナーが回収され、第２の回収部材には廃棄すべきトナー微粉が回収され、正規の粒径をしたトナーとトナー微粉とが混合して回収されない。これにより、第１の回収部材に回収された正規の粒径をしたトナーを再利用することができるので、トナーの消費を抑制することができる。
【００２８】
上記微粉回収方法において、前記現像剤には、前記トナーとは逆極性の外添剤が含まれていることが望ましい。
これは、現像剤において、トナー微粉とは逆極性の外添剤が、トナー微粉に対して電気的に作用することにより、トナー微粉がキャリア表面から剥離しやすい状態となり、第２の回収ステップにおいてトナー微粉が回収されやすくなると考えられるからである。
【００２９】
また、上記微粉回収方法において、前記第１の電界の大きさと前記第２の電界の大きさがほぼ等しいことが望ましい。
これにより、第１の電界によって現像剤から回収されなかった正規の粒径をしたトナーが、第２の電界によっても回収されない。これにより、第２の回収手段によって、正規の粒径をしたトナーとトナー微粉とが混合して回収されないので、正規粒径のトナーの消費が抑制される。
【００３０】
ここで、上記微粉回収方法において、前記第１の回収ステップ及び第２の回収ステップは、通常の画像形成処理が行われていないときに実行されることが望ましい。
画像形成処理が行われているときには、現像にトナーが使用されるので、このトナーを回収すると、正常な現像が行われず画像が形成されないからである。
【発明を実施するための最良の形態】
【００３１】
以下、本発明に係る現像装置及び画像形成装置の実施の形態を、モノクロのデジタル複写機（以下、単に「複写機」という。）に適用した例について説明する。
＜構成＞
はじめに、図１を参照しながら、複写機の全体の構成について説明する。図１は、複写機１の全体構成を示す模式図である。
【００３２】
同図に示すように、この複写機１は、大きく分けてイメージリーダ部２とプリンタ部１０とからなる。
イメージリーダ部２は、原稿の画像をＣＣＤセンサ（不図示）により読み取って、電気信号を得る公知のものであり、得られた電気信号は、制御部１００に送られる。制御部１００は、この電気信号に必要な処理を加えて画像データを生成し、これをプリンタヘッド１１のレーザダイオード（不図示）を駆動させるための駆動信号に変換する。
【００３３】
プリンタ部１０は、プリンタヘッド１１、画像プロセス部２０、給紙部３０、及び定着部５０を備えている。
プリンタヘッド１１は、制御部１００から出力される駆動信号に基づきレーザーダイオードを駆動してレーザ光を出射し、感光体ドラム２１上を露光走査する。
画像プロセス部２０は、矢印Ａの向きに回転駆動される感光体ドラム２１と、これを中心にしてその周囲に配された、除電ランプ２２、帯電チャージャ２３、現像装置２４、転写チャージャ２５およびクリーナ２６などから構成される。
【００３４】
給紙部３０は、用紙Ｓを収納しておくための給紙カセット３１と、用紙Ｓを繰り出すためのピックアップローラ３２と、繰り出された用紙Ｓを搬送する搬送ローラ対３３〜３５と、上記の露光走査タイミングに合わせて用紙Ｓを感光体ドラム２１に送り出すタイミングをとるためのタイミングローラ対３６などを有する。
感光体ドラム２１は、プリンタヘッド１１による露光を受ける前にクリーナ２６で表面の残存トナーが除去され、除電ランプ２２により残留電荷が除去された後、帯電チャージャ２３により一様に帯電（ここではマイナス帯電）されており、このように一様に帯電した状態で上記レーザ光による露光を受けると、感光体ドラム２１の表面に静電潜像が形成される。
【００３５】
この静電潜像は、現像位置Ｚにおいて現像装置２４により現像され、これにより感光体ドラム２１表面にトナー像が形成される。ここでは、トナーとして感光体ドラム２１と同極性（負極性）のものが用いられ、いわゆる反転現像が行われる。このトナー像の形成動作と同期して、用紙Ｓがタイミングローラ対３６によって感光体ドラム２１下方の転写位置２５１まで搬送される。
【００３６】
感光体ドラム２１表面に形成されたトナー像は、転写位置２５１において転写チャージャ２５によるコロナ放電により用紙Ｓ上に転写される。トナー像が転写された用紙Ｓは、感光体ドラム２１から分離し、搬送ベルト２７により定着部５０に搬送され、定着部５０において加熱、加圧されて、その表面のトナー粒子が用紙Ｓ表面に融着して定着し、その後、排出ローラ対５１により排出トレイ５２に排出される。
【００３７】
電源部１５０は、制御部１００からの指示により、現像装置２４内のバッファローラにバイアス電圧を印加させる。このバイアス電圧の詳細については後述する。
つぎに、図２を参照しながら、現像装置２４の構成について説明する。図２は、感光体ドラム２１及び現像装置２４の構成を示す拡大図である。
同図に示すように、現像装置２４は、キャリアとトナーとを含む現像剤３を用いて現像を行うものであり、現像剤収容部２４０とトナー収容部２４０１とを備えている。なお、同図は、現像装置２４の構成を説明するための図であり、実際の寸法・比率に基づき正確に記されたものではない。
【００３８】
現像剤収容部２４０は、現像剤３を収容するものであり、現像ローラ２４１、バッファローラ２４２及び現像剤規制板２４４を備える。
現像ローラ２４１は、矢印Ｂ方向に回転駆動される金属製の円筒部材２４１１と、円筒部材２４１１の内部に非回転の状態で遊挿されたマグネットローラ２４１２からなり、マグネットローラ２４１２の磁力により現像剤３を円筒部材２４１１表面に磁気吸着させた状態で現像位置Ｚに搬送する。この意味で、現像ローラ２４１は、現像剤搬送体として機能するものである。現像剤３中のトナー粒子は、現像位置Ｚにおいて感光体ドラム２１上の露光された部分に移動し、これにより感光体ドラム２１上にトナー像が形成される（静電潜像が現像される）。
【００３９】
現像剤規制板２４４は、現像ローラ２４１と所定の間隔、ここでは０．４［ｍｍ］をおいて配置され、現像ローラ２４１表面との間隙を通る現像剤量を規制して、現像ローラ２４１表面に現像剤３による均一な薄層を形成させる。現像剤３中のキャリアとトナーは、現像ローラ２４１上を搬送される際、および現像剤規制板２４４により規制される際の摩擦帯電により現像に必要な量まで帯電される。
【００４０】
バッファローラ２４２は、矢印Ｃ方向に回転駆動されるアルミ材からなる円筒状のローラであって、現像ローラ２４１による現像剤搬送路の現像剤規制板２４４と感光体ドラム２１との間において、現像ローラ２４１と対向配置される。すなわち、感光体ドラム２１は、現像ローラ２４１とバッファローラ２４２とが対向配置される対向位置Ｙよりも、現像剤搬送方向下流側の現像位置Ｚおいて現像ローラ２４１と対向配置される。
【００４１】
また、本実施の形態では、対向位置Ｙにおける現像ローラ２４１とバッファローラ２４２との距離は、現像位置Ｚにおける現像ローラ２４１と感光体ドラム２１との距離にほぼ等しいものとする。
バッファローラ２４２は、電源部１５０からの電源の供給により、ローラ表面の電位を変化させることができる。バッファローラ２４２は、通常のプリント処理実行時には関与しないが、後述する微粉回収処理実行時に動作して、現像剤３からトナーを回収する回収部材として機能する。
【００４２】
トナー収容部２４０１は、補給用のトナー４を収容するものであり、トナー補給ローラ２４３、トナー規制板２４５、トナー除電部材２４６およびトナー攪拌軸２４７を備えている。トナー４は、現像剤３中に含まれるトナーと同じもの（負極性）である。
トナー攪拌軸２４７は、矢印Ｅ方向に回転駆動され、トナー収容部２４０１内のトナー４を攪拌してトナーの固化を防ぐと共に流動性を保持する。
【００４３】
トナー規制板２４５は、トナー補給ローラ２４３表面に付着されるトナー量を規制してトナー４による均一な薄層を形成させると共にトナー４を予備帯電させる。ここでは、金属製、例えばステンレスからなる薄板（厚さ；約８０μｍ）が用いられ、その先端が線圧５〜４０［Ｎ／ｍ］でトナー補給ローラ２４３表面に押圧されるように配置される。なお、トナー規制板２４５としては、トナー補給ローラ２４３長手方向における押圧ムラをできるだけ少なくでき、トナー粒子に過度のストレスを与えず薄層を形成できるものであれば良く、材料、線圧等が上記のものに限定されないことはいうまでもない。
【００４４】
トナー補給ローラ２４３は、現像ローラ２４１と所定の間隔、ここでは０．８［ｍｍ］をおいて対向配置され、矢印Ｄ方向に回転駆動されて、トナー４をトナー規制板２４５を介して現像ローラ２４１と対向する補給位置Ｘまで搬送し、搬送したトナー４を補給トナーとして現像剤収容部２４０（現像剤３）に補給する。
なお、補給位置Ｘは、対向位置Ｙよりも現像剤搬送方向上流側に位置している。これは、補給位置Ｘが、対向位置Ｙと、現像位置Ｚとの間にあると、補給されたトナーが、後述する微粉回収処理において、感光体ドラム２１に回収されて、正規粒径のトナーが無駄に消費されるからである。
【００４５】
トナー補給ローラ２４３としては、ここでは金属製、例えばアルミニウムからなる外径１８［ｍｍ］のローラ表面にブラスト処理により所定の粗さを設けて搬送性を向上させたものが用いられる。もちろん、これに限定されず、例えば導電性ローラ部材、または導電性ローラ部材の表面に半導電性膜をコーティングしたもの等を用いても良い。
トナー除電部材２４６は、補給位置Ｘにおいて現像剤収容部２４０に供給されずにトナー補給ローラ２４３表面に残ったトナー４を除電させるためのものであり、トナー収容部２４０１の内部に戻る前にトナー補給ローラ２４３との静電的付着力を低下させてトナー４がトナー補給ローラ２４３表面から離脱され易いようにする。ここでは、導電性を付与した合成樹脂からなるフィルム状の部材が用いられる。なお、トナー除電部材２４６は、トナー４との帯電列の関係においてトナー４との接触によりその帯電量を低下させる関係を有するものであれば良く、その材料は特に限定されない。
【００４６】
現像剤３には、キャリアとトナーとが含有されている。キャリアは粒径４０μｍのフェライト粒子にシリコン系樹脂を被覆したものを用いる。
トナーはスチレンアクリル系重合トナーに、疎水性シリカ及びチタン酸ストロンチウムを外添処理したものを用いる。疎水性シリカはマイナスに帯電しており、チタン酸ストロンチウムはアミノ系シランで表面処理することによりプラスに帯電している。
【００４７】
例えば、これらのキャリアとトナーとをトナーの重量比が８％となるように混合することにより現像剤３が得られる。
図３は、制御部１００の構成を示すブロック図である。
同図に示すように、制御部１００は、全体制御部１０１と現像制御部１０２とを備えている。全体制御部１０１及び現像制御部１０２は、主な構成要素としてＣＰＵ、ＲＯＭ、ＲＡＭ等を含むものである。
【００４８】
全体制御部１０１は、イメージリーダ部２とプリンタ部１０の動作を統括的に制御して、複写動作を円滑に実行させる。
現像制御部１０２は、プリント枚数を積算して記憶する枚数記憶部１０３を備え、電源部１５０によるバイアス電圧の出力制御を行う。
＜微粉回収処理＞
現像剤中のトナーは、トナー攪拌軸２４７により攪拌されたり、キャリアと摩擦される等、現像装置内において機械的な作用を多く受けるので、トナー粒子の削れや、割れ等が多く発生する。このトナー粒子の削れや、割れ等によって、正規の粒径をしたトナーよりも粒径の小さいトナーの微粉（トナー微粉）が多く発生する。
【００４９】
[発明が解決しようとする課題]の欄で説明したように、トナー微粉がキャリア粒子表面に付着すると、キャリア表面にトナー微粉が徐々に蓄積され、その蓄積が多くなるほど本来のキャリア粒子とトナー粒子との間の摩擦帯電が行われ難くなり、トナーの帯電量が低下するという問題があった。
トナー微粉が蓄積されるほどキャリアへの付着力が高まり、このトナー微粉はいずれ層を形成してキャリアに高い付着力で付着する。このようにトナー微粉が層状となってキャリアに付着した状態になると、キャリアからトナー微粉を剥離することは非常に困難になるので、トナー微粉がキャリア粒子の表面に蓄積する前に、トナー微粉を回収する必要がある。そこで、本実施の形態では、後述の微粉回収処理を実施することにより、トナー微粉がキャリア表面に層をなして蓄積する前に、キャリア表面からトナー微粉を回収する構成としている。
【００５０】
以下、図２から図８を参照しながら微粉回収処理について説明する。図４は、微粉回収処理における現像ローラ２４１、バッファローラ２４２、及び感光体ドラム２１の電位の時間変化を示す図であって、グラフの縦軸は電位であり、横軸は時間である。図５は、微粉回収処理における現像制御部１０２による制御を示すフローチャートである。
図４に示すように、プリント処理が終了したとき（図中の時点Ｐ）の各部材の電位は、現像ローラ２４１が−５００Ｖ、バッファローラ２４２が−６５０Ｖ、感光体ドラム２１は−６００Ｖとなっている。なお、現像ローラ２４１の電位は、一連のプリント処理及び微粉回収処理において−５００Ｖで一定である。
【００５１】
図６から図８は、現像剤の拡大模式図である。図６は、プリント処理が終了した時点Ｐでの現像剤３の状態を示した図であって、プラスに帯電したキャリア６０の表面にマイナスに帯電したトナー７０とともにマイナスに帯電したトナー微粉７１が付着している。トナー７０に外添処理された疎水性シリカ（不図示）はトナーの表面に付着しているが、プラスに帯電しているチタン酸ストロンチウム８０は、現像剤搬送中の機械的作用によりトナー７０から剥離している。
【００５２】
図４の微粉回収処理の開始時点Ｑにおいて、現像制御部１０２は、バッファローラ２４２に現像ローラ２４１に対してプラス側のバイアスを印加するように電源部１５０を制御する。具体的には、現像ローラ２４１の電位−５００Ｖに対して、バッファローラ２４２の電位を−１００Ｖにする（ステップＳ１０１）。
これにより、バッファローラ２４２と現像ローラ２４１との電位差によって、図２に示す両ローラの対向位置Ｙには電界が発生する。この電界によって、マイナスに帯電している正規粒径のトナー７０が、より高電位のバッファローラ２４２へ移動する。これにより、図７に示すように、現像剤３からトナー７０が回収される（現像剤３Ａ）。このとき、トナー微粉７１は粒径の大きいトナー７０に遮られて、電界の影響をほとんど受けないので、キャリア６０の表面に留まる。これにより、バッファローラ２４２には、トナー微粉７１を含まない正規粒径のトナー７０が回収される。
【００５３】
なお、トナー７０には電界の影響の受けやすさに分布があって、所定の電界を印加しても移動しないものもある。そのため、キャリア６０の表面には、正規の粒径をした残留トナー７０１がわずかに存在することになる。
対向位置Ｙにおいてトナー７０が回収された図７に示す現像剤３Ａは、現像ローラ２４１によりＢ方向に搬送される。この搬送中において、チタン酸ストロンチウム８０は、振動等により現像剤３Ａ中を自由に動き回ると考えられる。こうしてトナー７０が回収された現像剤３Ａは、現像ローラ２４１と感光体ドラム２１との対向位置である現像位置Ｚに搬送される（ステップＳ１０２：Ｙｅｓ）。このときに、現像制御部１０２は、感光体ドラム２１の表面電位が現像ローラ２４１に対して高電位となるように制御する（時点Ｒ）。具体的には、現像制御部１０２は、感光体ドラム２１の表面をプリンタヘッド１１のレーザダイオードによる露光でディスチャージして、時点Ｒにおける現像位置Ｚの感光体ドラム２１の表面電位が−１００Ｖとなるように制御する（ステップＳ１０３）。なお、この電位は、通常のプリント処理において、静電潜像を現像するときの電位に等しい。
【００５４】
これにより、現像ローラ２４１と感光体ドラム２１との電位差により現像位置Ｚには電界が発生し、この電界によってキャリア６０に付着しているマイナス帯電のトナー微粉７１がより高電位の感光体ドラム２１に回収され、図８に示すようにキャリア６０の表面にはトナー微粉７１がほとんど存在しなくなる。
トナー微粉７１がこの電界によって感光体ドラム２１に回収されるのは、バッファローラ２４２によりトナー７０が回収された現像剤３Ａ（図７参照）が、現像ローラ２４１によって対向位置Ｙから現像位置Ｚまで搬送される間に、トナー微粉７１とは逆極性のチタン酸ストロンチウム（外添剤）８０が、マイナスに帯電しているトナー微粉７１に対して電気的及び機械的に作用することにより、トナー微粉７１がキャリア６０表面から剥離しやすい状態となることに起因していると考えられる。
【００５５】
感光体ドラム２１に回収されたトナー微粉７１は、クリーナ２６のクリーナブレード２６１によって感光体ドラム２１の表面から除去される。
なお、対向位置Ｙと現像位置Ｚでは、ほぼ同じ大きさの電界が発生しているので、対向位置Ｙでの電界によってバッファローラ２４２へ移動しなかった正規粒径の残留トナー７０１は、現像位置Ｚでの電界によっても、感光体ドラム２１へは移動しない。これにより、正規粒径のトナー７０１とトナー微粉７１とが感光体ドラム２１に混合して回収されないので、正規粒径トナーの消費が抑制される。
【００５６】
ちなみに、通常のプリント処理の際には、現像位置Ｚでは、感光体ドラム２１には直流電圧に加えて交流電圧が重畳され、これにより発生する電界の影響を受けて残留トナー７０１は感光体ドラム２１へ移動しやすくなるので、残留トナー７０１も静電潜像を現像する際には寄与することになる。
なお、図４における時点Ｑと時点Ｒとのタイムラグは、時点Ｑにおいて対向位置Ｙを通過した現像剤３Ａが現像位置Ｚに到達するまでの時間に相当する。
【００５７】
図４の時点Ｑから現像ローラ２４１が２回転するまでの間、バッファローラ２４２にバイアス電圧が印加されるとともに、感光体ドラム２１は全面露光される。これにより、現像ローラ２４１によって搬送される現像剤３（図６参照）は、対向位置においてトナー７０が回収され（図７参照）、現像位置Ｚにおいてトナー微粉７１が回収される（図８参照）ことにより、現像剤３中のトナー微粉７１が徐々に回収されていく。
【００５８】
図４中の時点Ｑから現像ローラ２４１が２回転したときの時点Ｓで（ステップＳ１０４：Ｙｅｓ）、現像制御部１０２は、電源部１５０を制御することによりバッファローラ２４２の電位を−６５０Ｖに戻す（ステップＳ１０５）。これにより、現像ローラ２４１とバッファローラ２４２との電位差による電界によって、バッファローラ２４２上のトナーがより高電位の現像ローラ２４１へ戻される。バッファローラ２４２によって回収されたトナー７０Ａ（図２参照）にはトナー微粉が含まれていないので、バッファローラ２４２が回収したトナー７０Ａを現像剤３に戻して再利用することにより、トナーの消費量を抑えることができ、ひいては、現像剤３の長寿命化を実現することができる。
【００５９】
つづいて、時点Ｓにおいて対向位置Ｙでトナーが回収された現像剤３Ａは、現像ローラ２４１と感光体ドラム２１との対向位置である現像位置Ｚに搬送される（時点Ｔ）（ステップＳ１０６：Ｙｅｓ）。時点Ｓと時点Ｔとのタイムラグは、時点Ｓにおいて対向位置Ｙでトナーが回収された現像剤が、現像ローラ２４１によって現像位置Ｚに搬送されるまでの時間に相当する。
【００６０】
現像制御部１０２は、時点Ｔにおいて、現像位置Ｚにおける感光体ドラム２１の表面電位が−６００Ｖになるようにプリンタヘッド１１のレーザダイオードによる露光を調整する（ステップＳ１０７）。これにより、バッファローラ２４２から現像剤３の中へ戻されたトナーが、現像位置Ｚに搬送されるまでに、感光体ドラム２１へのトナーの回収が停止される。このトナー回収の停止がなされないと、正規粒径のトナーが感光体ドラム２１によって回収されて、トナーが無駄に消費されてしまうからである。
【００６１】
また、時点Ｓから時点Ｕまでの時間は、バッファローラ２４２に回収されたすべてのトナーが、対向位置Ｙにおいて現像剤３に戻されるのに十分な時間に相当する。
なお、図４における時点Ｑから時点Ｕまでは、補給位置Ｘにおいて、トナー補給ローラ２４３による現像剤３へのトナーの補給は停止する。バッファローラ２４２によって回収されたトナーは現像剤３に戻されるので、一連の微粉回収処理において減少するトナーの量は、感光体ドラム２１で回収されるトナー微粉の量に相当する。このトナー微粉の量は、現像剤におけるトナー全体量と比べて極僅かであるので、時点Ｑから時点Ｕまでの微粉回収処理期間において、トナー補給ローラ２４３によってトナーを補給すると、現像剤３におけるトナーの割合が過多になるからである。
【００６２】
以上の微粉回収処理により、現像剤３からトナー微粉７１が感光体ドラム２１に回収されて廃棄される。これにより、キャリア６０とトナー７０との摩擦帯電が正常になされるので、トナー７０の帯電量が低下することを抑制することができ、もって、現像剤３の長寿命化をはかることができる。
上述の微粉回収処理は、通常のプリント処理（画像形成処理）が行われていないとき、例えば、複写機１の電源が投入されてからプリントするまでの間、プリントとプリントとの間、又は、待機中などに実行する。さらに、現像剤の長寿命化をはかる観点からは、所定枚数の用紙への画像形成が行われる毎に実行することが望ましい。例えば、図４のシーケンスで示される上述した微粉回収処理を２枚プリントするごとに２回、５０枚プリントするごとに５回実施してもよい。プリント枚数は、現像制御部１０２の枚数記憶部１０３によって積算され、積算枚数が所定値に達すると、現像制御部１０２による制御により微粉回収処理が実行される構成となっている。
【００６３】
また、上述した微粉回収処理を実行するための構成において、本実施の形態では、トナー微粉を回収するための部材として、複写機に通常備えられる感光体ドラム２１を利用することにより、装置の部品点数を削減しているので、装置の省スペース化、及びコストの低減をはかることができる。
＜実施例＞
以下、実施例に基づいて、本実施の形態に係る複写機１の効果について説明する。
【００６４】
本発明者らは、本実施の形態に係る複写機１と、従来構成の複写機について、それぞれ特性試験を実施した。具体的には実施例では、本実施の形態に係る複写機１を使用して、図４のシーケンスで示される上述した微粉回収処理を１枚プリントするごとに２回、１００枚プリントするごとに１０回実施して、１２０ｋ枚をプリントした（「ｋ」は１０００を意味する）。比較例では、従来構成の複写機を使用して、微粉回収処理を一切行わずに１２０ｋ枚を連続してプリントした。
【００６５】
本発明者らは、１２０ｋ枚のプリントが終了した時点の現像装置内のトナーを取り出して、当該トナーを溶媒に溶かし、光散乱方式の粒度分布計で粒径の分布を測定した。図９は、粒度分布計による測定結果であって、グラフの縦軸が存在比率（％）で横軸が粒径（μｍ）である。なお、グラフの実線が実施例のデータで、破線が比較例のデータである。
図９において、１０μｍ近傍の粒子が正規粒径のトナーで、１μｍ以下の粒子がトナー微粉に相当する。図９より、比較例では、正規粒径のトナーに対してトナー微粉が多く存在することがわかる。それに対して、実施例では、正規粒径のトナーに対するトナー微粉の割合が大幅に減少していることがみてとれる。この結果より、実施例では、現像剤の中からトナー微粉が回収されていると結論づけることができる。
【００６６】
また、本発明者らは、１２０ｋ枚のプリント試験において、トナーの帯電量の変化を測定した。図１０は、プリント枚数に対するトナー帯電量の変化を示すグラフであって、縦軸はトナー帯電量（μＣ／ｇ）で、横軸は印刷枚数（ｋ枚）である。
図１０より、比較例では、印刷枚数の増加とともに、トナーの帯電量が減少していることが分かる。実施例でも、トナーの帯電量が減少しているものの、比較例と較べるとトナー帯電量の減少量が著しく小さいことがわかる。
【００６７】
これは、キャリア表面からトナー微粉が回収されたことにより、キャリアがトナーを帯電させる能力が維持され、印刷枚数が増加しても、キャリアとトナーとが良好な状態で摩擦帯電されているからである。
図９と図１０との結果を併せることにより、実施例では、キャリア表面に付着しているトナー微粉が回収されていることにより、トナー帯電量の低下が抑制されていると結論付けることができる。
【００６８】
以上の特性試験より、本実施の形態に係る複写機１では、トナー微粉を回収することにより、印刷枚数の増加にともなうトナー帯電量の低下を抑制することができるので、現像剤の長寿命化がはかられることが確認された。
＜変形例＞ 
以上、本発明を実施の形態に基づいて説明してきたが、本発明の内容が、上記実施の形態に示された具体例に限定されないことは勿論であり、例えば、以下のような変形例を考えることができる。
【００６９】
（１）上記においては、現像剤３からトナーを回収するための構成として、現像ローラ２４１とバッファローラ２４２との間に電界を発生させるものについて説明したが、必ずしも現像ローラ２４１とバッファローラ２４２とを用いる必要はなく、電界により現像剤３からトナーを回収できる構成であればよい。また、上記において、トナーが回収された現像剤３からトナー微粉を回収するための構成として、現像ローラ２４１と感光体ドラム２１との間に電界を発生させるものについて説明したが、必ずしも現像ローラ２４１と感光体ドラム２１とを用いる必要はなく、トナーが回収された現像剤からトナー微粉を回収できる構成であればよい。
【００７０】
図１１は、現像装置２４の変形例を示す図である。例えば、図１１のように、現像装置２４において、バッファローラ２４２の配設位置よりも現像剤搬送方向下流側に、トナー微粉を回収する微粉回収ローラ２４８を現像ローラ２４１に対して対向配置する構成としてもよい。
当該構成では、図４に示すシーケンスに代えて、図１２に示すシーケンスを実行する。時点Ｑから時点Ｔまでのタイミングは上記の実施の形態で説明したものと同様である。図１２に示すように、現像ローラ２４１及び感光体ドラム２１は、それぞれ−５００Ｖ、−６００Ｖで一定の電位を維持する。時点Ｑでバッファローラ２４２の電位を−６５０Ｖから−１００Ｖへ、時点Ｒで微粉回収ローラ２４８の電位を−５００Ｖから−１００Ｖへ変化させる。そして、時点Ｓでバッファローラ２４２の電位を−１００Ｖから−６５０Ｖへ、時点Ｔで微粉回収ローラ２４８の電位を−１００Ｖから−５００Ｖへ変化させる。
【００７１】
これにより、Ｑ−Ｓ間において現像ローラ２４１とバッファローラ２４２との対向位置Ｙでトナーがバッファローラ２４２に回収され、Ｒ−Ｔ間において現像ローラ２４１と微粉回収ローラ２４８との対向位置Ｗでトナー微粉が微粉回収ローラ２４８に回収される。これにより、現像剤からトナー微粉が回収され、トナーの帯電量低下を抑制することができるので、現像剤の長寿命化をはかることができる。
【００７２】
また、例えば、平らなベルトコンベアによって搬送されている現像剤に対して、位置Ａにおいて第１の電界をかけて現像剤からトナーを回収した後に、位置Ａよりも搬送方向下流の位置Ｂにおいて第２の電界をかけてキャリアからトナー微粉を回収する構成としてもよい。
（２）上記においては、プラスに帯電させる外添剤として、チタン酸ストロンチウムを用いた例について説明したが、プラスに帯電させる外添剤としてチタン酸ストロンチウムの代わりに、酸化ケイ素、酸化アルミニウム、酸化チタン、酸化マグネシウム、チタン酸バリウム、チタン酸マグネシウム、チタン酸カルシウム、又はジルコン酸カルシウム等を用いてもよい。これらの化合物をプラスに帯電させて外添剤として利用することによって、キャリア表面に付着しているトナー微粉が、電気的作用によりキャリアから剥離しやすくなると考えられる。
【００７３】
（３）上記においては、トナーをマイナスに帯電させて、プラスに帯電させた外添剤を用いる構成にしたが、トナーをプラスに帯電させて、マイナスに帯電させた外添剤を用いる構成としてもよい。なおこの場合は、トナー及びトナー微粉を回収するための電界の方向を逆向きにする必要がある。 これにより、上述したのと同様の原理によってトナー微粉を回収することができる。
【００７４】
（４）上記においては、図４におけるシーケンスにおいて、微粉を回収する時点Ｑから時点Ｓの期間を現像ローラ２４１が２回転する時間としたが、これに限定するものではなく、微粉回収処理を実行する時間として適したものにすることが好適である。また、図４及び図１２におけるシーケンスにおいては、直流のものについて説明したが、図４及び図１２の各波形に同様の交流を重畳する構成としてもよい。
【産業上の利用可能性】
【００７５】
本発明は、トナーとキャリアとを含む２成分現像剤を使用する現像装置及び画像形成装置に広く適用することができる。また、本発明は、現像剤の長寿命化をはかることができるので、その産業的利用価値は極めて高い。
【図面の簡単な説明】
【００７６】
【図１】複写機１の全体構成を示す模式図である。
【図２】感光体ドラム２１及び現像装置２４の構成を示す拡大図である。
【図３】制御部１００の構成を示すブロック図である。
【図４】微粉回収処理における現像ローラ２４１、バッファローラ２４２、及び感光体ドラム２１の電位の時間変化を示す図である。
【図５】微粉回収処理における現像制御部１０２による制御を示すフローチャートである。
【図６】現像剤の拡大模式図である。
【図７】現像剤の拡大模式図である。
【図８】現像剤の拡大模式図である。
【図９】粒度分布計による測定結果を示すグラフである。
【図１０】プリント枚数に対するトナー帯電量の変化を示すグラフ
【図１１】現像装置の変形例を示す図である。
【図１２】変形例の微粉回収処理における現像ローラ２４１、バッファローラ２４２、感光体ドラム２１、及び微粉回収ローラ２４８の電位の時間変化を示す図である。
【符号の説明】
【００７７】
１           複写機
１０         プリンタ部
１１         プリンタヘッド
２０         画像プロセス部
２１         感光体ドラム
２４         現像装置
２６         クリーナ
６０         キャリア
７０         トナー
７１         トナー微粉
８０         チタン酸ストロンチウム
１００       制御部
１０２       現像制御部
１５０       電源部
２４１       現像ローラ
２４２       バッファローラ
２４４       現像剤規制板
２４８       微粉回収ローラ
２６１       クリーナブレード
【図１】
2006201753.tif 000003
【図２】
2006201753.tif 000004
【図３】
2006201753.tif 000005
【図４】
2006201753.tif 000006
【図５】
2006201753.tif 000007
【図６】
2006201753.tif 000008
【図７】
2006201753.tif 000009
【図８】
2006201753.tif 000010
【図９】
2006201753.tif 000011
【図１０】
2006201753.tif 000012
【図１１】
2006201753.tif 000013
【図１２】
2006201753.tif 000014